(57)【要約】【課題】動作内容に応じた通信方式に切り替えることのできる通信装置を提供すること。【解決手段】実施形態に係る通信装置は、通信部と、制御部とを具備する。通信部は、双方向通信および片方向通信が可能である。制御部は、通信部による双方向通信を用いた第１通信モードと、通信部による片方向通信を用いた第２通信モードとを切り替えて実行する。【選択図】図７
2019062314.tif 000002
【特許請求の範囲】
【請求項１】
双方向通信および片方向通信が可能な通信部と；
前記通信部による前記双方向通信を用いた第１通信モードと、前記通信部による前記片方向通信を用いた第２通信モードとを切り替えて実行する制御部と；
を具備する、通信装置。
【請求項２】
前記制御部は、前記通信部によって特定の信号が受信された場合に、前記第１通信モードと前記第２通信モードとを切り替える、請求項１に記載の通信装置。
【請求項３】
前記制御部は、前記通信部によって前記特定の信号が受信された場合において、拒否条件を満たす場合には、前記第１通信モードと前記第２通信モードとの切り替えを拒否する、請求項２に記載の通信装置。
【請求項４】
前記制御部は、前記第１通信モードと前記第２通信モードとを予め決められた時間間隔で切り替える、請求項１に記載の通信装置。
【請求項５】
前記制御部は、予め設定された時刻が到来した場合に、前記第１通信モードと前記第２通信モードとを切り替える、請求項１に記載の通信装置。
【請求項６】
前記制御部は、前記第１通信モードと前記第２通信モードとを切り替える場合に、通信モードの切り替えの発生を知らせる切替情報を前記通信部を用いて送信する、請求項１〜５のいずれか一つに記載の通信装置。
【発明の詳細な説明】
【技術分野】
【０００１】
本発明の実施形態は、通信装置に関する。
【背景技術】
【０００２】
通信装置の一種として、たとえば、無線通信を用いて調光や調色等を行うことのできる照明装置が知られている。
【先行技術文献】
【特許文献】
【０００３】
【特許文献１】特開２００４−１８５９７８号公報
【発明の概要】
【発明が解決しようとする課題】
【０００４】
無線通信を用いて複数の動作を実施しようとする場合、動作内容に応じて通信方式を変えることが望ましい。
【０００５】
本発明は、動作内容に応じた通信方式に切り替えることのできる通信装置を提供することを目的とする。
【課題を解決するための手段】
【０００６】
実施形態に係る通信装置は、通信部と、制御部とを具備する。通信部は、双方向通信および片方向通信が可能である。制御部は、通信部による双方向通信を用いた第１通信モードと、通信部による片方向通信を用いた第２通信モードとを切り替えて実行する。
【発明の効果】
【０００７】
本発明によれば、動作内容に応じた通信方式に切り替えることができる。
【図面の簡単な説明】
【０００８】
【図１】図１は、実施形態に係る照明システムの構成例を示す図である。
【図２】図２は、第２通信モードの一例を示す図である。
【図３】図３は、実施形態に係る照明装置の構成例を示す図である。
【図４】図４は、実施形態に係る記憶部の構成例を示す図である。
【図５】図５は、実施形態に係る制御部の構成例を示す図である。
【図６】図６は、点検者端末の構成例を示す図である。
【図７】図７は、実施形態に係る照明装置における第１通信モードへの切り替えの一例を示すシーケンス図である。
【図８】図８は、実施形態に係る照明装置における第２通信モードへの切り替えの一例を示すシーケンス図である。
【図９】図９は、実施形態における第１の変形例に係る切替処理を示すフローチャートである。
【発明を実施するための形態】
【０００９】
以下で説明する実施形態に係る照明装置１０（通信装置の一例）は、通信部１２と、制御部１６とを具備する。通信部１２は、双方向通信および片方向通信が可能である。制御部１６は、通信部１２による双方向通信を用いた第１通信モードと、通信部１２による片方向通信を用いた第２通信モードとを切り替えて実行する。
【００１０】
また、以下で説明する実施形態に係る照明装置１０において、制御部１６は、通信部１２によって特定の信号が受信された場合に、第１通信モードと第２通信モードとを切り替える。
【００１１】
また、以下で説明する実施形態に係る照明装置１０において、制御部１６は、通信部１２によって特定の信号が受信された場合において、拒否条件を満たす場合には、第１通信モードと第２通信モードとの切り替えを拒否する。
【００１２】
また、以下で説明する実施形態に係る照明装置１０において、制御部１６は、第１通信モードと第２通信モードとを予め決められた時間間隔で切り替える。
【００１３】
また、以下で説明する実施形態に係る照明装置１０において、制御部１６は、予め設定された時刻が到来した場合に、第１通信モードと第２通信モードとを切り替える。
【００１４】
また、以下で説明する実施形態に係る照明装置１０において、制御部１６は、第１通信モードと第２通信モードとを切り替える場合に、通信モードの切り替えの発生を知らせる切替情報を通信部１２を用いて送信する。
【００１５】
［実施形態］
＜照明システムの構成＞
まず、本発明の実施形態に係る照明システム１を図面に基づいて説明する。図１は、実施形態に係る照明システム１の構成例を示す図である。なお、図１では、双方向通信を用いる第１通信モードの例を示している。
【００１６】
図１に示す照明システム１は、複数の照明装置１０と点検者端末３０とを具備する。照明装置１０は、たとえば、非常灯などの非常用照明装置である。非常用照明装置としての照明装置１０は、施設内に所定の間隔で設置され、停電時や災害時等の非常時に避難誘導のために室内や廊下を照らす。なお、照明装置１０は、非常口や避難通路を示すために設置される誘導灯であってもよい。また、照明装置１０は、常時は照明装置として点灯し、停電時に避難誘導のために室内や廊下を照らす照明装置であってもよい。
【００１７】
各照明装置１０は、非常用ランプ等の光源１１と、通信部１２とを具備する。各照明装置１０は、自装置の通信エリア内に位置する他の照明装置１０や点検者端末３０との間で、通信部１２を用いた双方向通信を行う。複数の照明装置１０は、通信エリア内に位置する他の照明装置１０との間で相互にデータの送受信を行うことにより、各照明装置１０をノードとするメッシュネットワークを形成する。
【００１８】
点検者端末３０は、点検者３が所有する情報処理装置である。点検者端末３０は、点検者３が持ち運び可能な情報処理装置であればどのような情報処理装置であってもよく、たとえば、スマートフォンや、タブレット型端末や、ノート型ＰＣ（Personal  Computer）や、携帯電話機や、ＰＤＡ（Personal  Digital  Assistant）等により実現される。
【００１９】
実施形態に係る照明システム１において、点検者３は、点検者端末３０を用い、施設内に設置された複数の照明装置１０の一括点検を行う。
【００２０】
点検者３は、まず、複数の照明装置１０のうちの任意の１台に対し、点検者端末３０から点検要求を送信する。照明装置１０は、点検要求を受信すると、自装置の通信エリア内に位置する１または複数の他の照明装置１０に対して点検要求を転送する。さらに、照明装置１０から点検要求を受信した他の照明装置１０も同様に、自装置の通信エリア内に位置する１または複数の他の照明装置１０に対して点検要求を転送する。このようにして、複数の照明装置１０の全てに点検要求が転送される。そして、点検要求を受信した各照明装置１０は、点検動作を開始する。点検動作は、たとえば、法令で定められた時間連続して光源１１を点灯させる動作である。
【００２１】
その後、点検者３は、複数の照明装置１０のうちの任意の１台に対し、点検者端末３０から結果送信要求を送信する。結果送信要求を受信した照明装置１０は、自装置の通信エリア内に位置する１または複数の他の照明装置１０に対して結果送信要求を転送する。さらに、照明装置１０から点検要求を受信した他の照明装置１０も同様に、自装置の通信エリア内に位置する１または複数の他の照明装置１０に対して結果送信要求を転送する。このようにして、複数の照明装置１０の全てに結果送信要求が転送される。そして、結果送信要求を受信した各照明装置１０は、通信エリア内の１または複数の他の照明装置１０に対し、自装置の点検結果を送信するとともに他装置の点検結果を転送する。このように、複数の照明装置１０の間で点検結果が相互に送受信されることにより、複数の照明装置１０の全ての点検結果が各照明装置１０の記憶部に蓄積された状態となる。その後、照明装置１０は、点検者端末３０に対して複数の照明装置１０の全点検結果を送信する。
【００２２】
照明装置１０は、点検者端末３０から点検要求を受けた場合に、点検者端末３０との間で識別情報やパスワード等を用いた通信確立処理を行ったうえで、通信が確立された点検者端末３０との間で双方向通信を行う。また、各照明装置１０は、自装置および他装置の識別情報を予め保持しており、識別情報によって特定される照明装置１０に対して点検要求や点検結果を送信する。このように、ここでいう双方向通信とは、相手を特定して情報の送受信を行う通信方式のことをいう。また、ここでいう双方向通信とは、相手からの要求に応じて情報の送信を行う通信方式のことをいう。以下では、双方向通信を用いた通信モードを第１通信モードと記載する。
【００２３】
照明装置１０が具備する通信部１２は、片方向通信を行うことも可能である。ここでいう片方向通信とは、相手を特定することなく情報を一方的に送信する通信方式、すなわち、情報をブロードキャストする通信方式のことをいう。
【００２４】
ここで、片方向通信を用いた第２通信モードの例について図２を参照して説明する。図２は、第２通信モードの一例を示す図である。図２では、たとえば、デパート等の商品売り場に設置された照明装置１０が片方向通信を用いて商品情報をブロードキャストする場合の例を示している。
【００２５】
図２に示すように、第２通信モードにおいて照明装置１０は、自装置が設置されている商品売り場で販売されている商品に関する商品情報を自装置の通信エリア１００内にブロードキャストする。商品情報は、たとえば、タイムセールの情報や新商品の入荷情報などであり、たとえば１秒間に１〜２回程度の間隔で通信エリア１００内にブロードキャストされる。通信エリア１００内にブロードキャストされた商品情報は、通信エリア１００内に位置する来客者４の来客者端末４０によって受信されて来客者端末４０のディスプレイに表示される。
【００２６】
実施形態に係る照明装置１０は、双方向通信を用いた第１通信モードと片方向通信を用いた第２通信モードとを切り替えて実行する。これにより、たとえば、点検が行われない日中の営業時間帯においては、第２通信モードによる商品情報のブロードキャストを行い、点検が行われる夜間においては、第１通信モードによる点検処理を行うといった運用が可能となる。
【００２７】
＜照明装置の構成＞
次に、実施形態に係る照明装置１０の構成について図３を参照して説明する。図３は、実施形態に係る照明装置１０の構成例を示す図である。
【００２８】
図３に示すように、照明装置１０は、光源１１と、通信部１２と、蓄電池１３と、取得部１４と、記憶部１５と、制御部１６とを具備する。
【００２９】
また、図３に示す外部電源６は、たとえば電力会社等から供給される電力源である。なお、外部電源６は、太陽光発電システムから供給される電力源であってもよい。
【００３０】
光源１１は、たとえば非常用ランプであり、外部電源６から供給される電力が著しく低下した場合（以下、停電時と記載する）に点灯する。光源１１としては、たとえば蛍光灯やＬＥＤ（Light  Emitting  Diode）等、目的に応じて種々の光源が用いられてもよい。
【００３１】
通信部１２は、たとえばビーコンであり、上述したように双方向通信および片方向通信の両方を行うことができる。通信部１２は、たとえば、ＢＬＥ（Bluetooth（登録商標）  Low  Energy）の規格にしたがった通信方式で無線通信を行う。
【００３２】
通信部１２は、外部電源６から供給される電力によって動作する。一方、通信部１２は、停電時においては、後述する蓄電池１３から供給される電力によって動作する。このように、通信部１２は、停電時においても動作可能である。
【００３３】
蓄電池１３は、停電時において非常用電源として利用される。蓄電池１３は、照明装置１０に対して着脱自在である。また、蓄電池１３は、外部電源６から供給される電力によって充電される。
【００３４】
取得部１４は、照明装置１０の各種情報を取得するセンサである。たとえば、取得部１４は、外部電源６から供給される電圧が閾値を下回った場合に、停電が発生したことを示す異常信号を制御部１６へ出力する。また、取得部１４は、蓄電池１３の残容量に関する情報を取得して、制御部１６へ出力する。その他、取得部１４は、光源１１の点灯状況に関する情報を取得してもよいし、照明装置１０内部の温度情報を取得してもよい。
【００３５】
記憶部１５は、たとえば、ＤＲＡＭ（Dynamic  Random  Access  Memory）、ＳＲＡＭ（Static  Random  Access  Memory）、フラッシュメモリ等の記憶装置である。図４は、実施形態に係る記憶部１５の構成例を示す図である。図４に示すように、記憶部１５は、自装置点検結果１５１と、他装置点検結果１５２と、ブロードキャスト情報１５３と、拒否条件１５４と、スケジュール情報１５５とを記憶する。
【００３６】
自装置点検結果１５１は、自装置の点検動作の結果であり、他装置点検結果１５２は、他の照明装置１０の点検動作の結果である。点検結果には、光源１１の点灯状況に関する情報などが含まれる。
【００３７】
ブロードキャスト情報１５３は、第２通信モードにおいてブロードキャストされる情報である。ブロードキャスト情報１５３は、たとえば図２に示す商品情報のように、照明装置１０が設置される施設に関する情報であってもよいし、それ以外の情報であってもよい。ブロードキャスト情報１５３は、たとえば、照明装置１０が設置される施設の従業員が、スマートフォン等の従業員端末を用いて任意に設定することができる。
【００３８】
拒否条件１５４は、通信モードの切り替えを拒否する条件に関する情報である。拒否条件１５４は、従業員が従業員端末を用いて任意に設定することができる。たとえば、拒否条件１５４は、通信モードの切り替えを拒否または許可する時間帯を指定する情報であってもよい。また、拒否条件１５４は、通信モードの切り替えを許可する点検者端末３０の識別情報の一覧情報（ホワイトリスト）であってもよい。
【００３９】
拒否条件１５４は、第１通信モードから第２通信モードへの切り替えを拒否する第１拒否条件と、第２通信モードから第１通信モードへの切り替えを拒否する第２拒否条件とを含んでいてもよい。
【００４０】
スケジュール情報１５５は、通信モードの切り替えスケジュールに関する情報である。スケジュール情報１５５は、従業員が従業員端末を用いて任意に設定することができる。スケジュール情報１５５には、少なくとも、第１通信モードから第２通信モードへ切り替える時刻と、第２通信モードから第１通信モードへ切り替える時刻とが含まれる。
【００４１】
制御部１６は、照明装置１０の各部を制御するコントローラである。制御部１６は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。また、制御部１６は、１つの素子で構成されていてもよいし、複数の素子で構成されていてもよい。制御部１６が複数の素子で構成される場合、これら複数の素子は、照明装置１０内の離れた場所に配置されていてもよい。例えば、複数の素子が別々の基板に実装されていてもよい。
【００４２】
図５は、実施形態に係る制御部１６の構成例を示す図である。図５に示すように、制御部１６は、点灯部１６１と、蓄電池制御部１６２と、点検部１６３と、通信制御部１６４とを具備する。これらは制御部１６の機能を示す機能ブロックである。これら機能ブロックはソフトウェアブロックであってもよいし、ハードウェアブロックであってもよい。たとえば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。
【００４３】
点灯部１６１は、光源１１の点灯及び消灯を制御する。点灯部１６１は、たとえば、取得部１４から停電が発生したことを示す異常信号を取得した場合に、蓄電池１３から供給される電力を用いて光源１１を点灯させる。
【００４４】
また、点灯部１６１は、点検動作が開始された場合に、点検部１６３からの指示に従って光源１１の点灯及び消灯を制御してもよい。
【００４５】
蓄電池制御部１６２は、蓄電池１３を制御する。たとえば、蓄電池制御部１６２は、外部電源６から供給される電力を用いて蓄電池１３を充電する。蓄電池制御部１６２は、蓄電池１３の蓄電量が所定量以上となった場合は充電を行わないようにしてもよい。また、蓄電池制御部１６２は、取得部１４から異常信号を取得した場合、すなわち、停電が発生した場合に、蓄電池１３に蓄えられた電力を通信部１２や制御部１６に供給させる。
【００４６】
点検部１６３は、点検者端末３０または他の照明装置１０から通信部１２を介して点検要求を受けた場合に、点検動作を照明装置１０に実行させる。たとえば、点検部１６３は、点灯部１６１等に対して光源１１の点灯または消灯を指示する。また、点検部１６３は、光源１１や蓄電池１３等の状態に関する情報を取得部１４から収集して自装置点検結果１５１として記憶部１５に格納する。
【００４７】
通信制御部１６４は、通信部１２を制御する。具体的には、通信制御部１６４は、通信部１２を制御することにより、双方向通信を用いた第１通信モードと、片方向通信を用いた第２通信モードとを実行する。
【００４８】
第１通信モードにおいて、通信制御部１６４は、通信部１２を制御することにより、点検者端末３０との間での通信確立処理のほか、点検要求、結果送信要求および点検結果の転送処理等を行う。また、第２通信モードにおいて、通信制御部１６４は、通信部１２を制御することにより、記憶部１５に記憶されたブロードキャスト情報１５３を通信エリア１００へ所定の間隔でブロードキャストする。なお、第２通信モードであっても後述の点検要求は受信可能に構成されているものとして以下説明する。
【００４９】
また、通信制御部１６４は、第１通信モードと第２通信モードとの間で、通信モードの切り替えを行う。通信モードの切替処理については、後述する。
【００５０】
＜点検者端末の構成＞
次に、点検者端末３０の構成について図６を参照して説明する。図６は、点検者端末３０の構成例を示す図である。
【００５１】
図６に示すように、点検者端末３０は、通信部３１と、入出力部３２と、記憶部３３と、制御部３４とを具備する。
【００５２】
通信部３１は、照明装置１０の通信部１２との間でデータ通信を行う。入出力部３２は、データの入出力を行う。入出力部３２には、ディスプレイ、タッチパネル、マウス、キーボード等が含まれる。記憶部３３は、ＨＤＤ、ＳＳＤ、光ディスク等の記憶装置である。記憶部３３は、ＲＡＭ、フラッシュメモリ、ＮＶＳＲＡＭ等のデータを書き換え可能な半導体メモリであってもよい。記憶部３３は、たとえば、照明装置１０から送信される点検結果を記憶する。
【００５３】
制御部３４は、点検者端末３０全体を制御する。制御部３４は、例えば、ＣＰＵ、ＭＰＵ等の電子回路や、ＡＳＩＣ、ＦＰＧＡ等の集積回路である。このとき、制御部３４は、各種の処理手順を規定したプログラムや制御データを格納するための内部メモリを有し、内部メモリを用いて各処理を実行する。また、制御部３４は、各種のプログラムが動作することにより各種の処理部として機能する。
【００５４】
制御部３４は、点検者３による入出力部３２への入力操作に基づき、照明装置１０に対して点検要求を送信する。また、制御部３４は、点検者３による入出力部３２への入力操作に基づき、照明装置１０に対して結果送信要求を送信する。また、制御部３４は、照明装置１０から通信部３１を介して取得された点検結果を記憶部３３に格納する。
【００５５】
＜第２通信モードから第１通信モードへの切り替えの例＞
次に、第２通信モードから第１通信モードへの切り替えの例について図７を参照して説明する。図７は、実施形態に係る照明装置１０における第１通信モードへの切り替えの一例を示すシーケンス図である。ここでは、点検者端末３０から点検要求を受信する照明装置１０を「照明装置１０Ａ」と記載し、照明装置１０Ａから点検要求を受信する照明装置１０を「照明装置１０Ｂ」と記載する。
【００５６】
図７に示すように、点検者端末３０は、複数の照明装置１０のうち照明装置１０Ａに対して点検要求を送信する（ステップＳ１１）。点検要求の送信先となる照明装置１０Ａは任意である。たとえば、点検者３は、自身に最も近い場所に設置されている照明装置１０Ａに対して点検者端末３０から点検要求を送信する。
【００５７】
点検者端末３０から通信部１２を介して点検要求を受信した照明装置１０Ａは、通信モードを第２通信モードから第１通信モードへ切り替えて（ステップＳ１２）、点検者端末３０との間で通信確立処理を行う。
【００５８】
その後、点検者端末３０との間で通信が確立されると、照明装置１０Ａは、通信エリア１００内に位置する他の照明装置１０Ｂに対して点検要求を転送する（ステップＳ１３）。また、照明装置１０Ａは、点検動作を開始する（ステップＳ１４）。
【００５９】
つづいて、照明装置１０Ｂは、照明装置１０Ａから点検要求を受信すると、通信モードを第２通信モードから第１通信モードへ切り替える（ステップＳ１５）。また、照明装置１０Ｂは、照明装置１０Ａから受信した点検要求を通信エリア１００内に位置する他の照明装置１０（図示せず）に転送する（ステップＳ１６）。また、照明装置１０Ｂは、点検動作を開始する（ステップＳ１７）。
【００６０】
このようにして複数の照明装置１０の全てに点検要求が送信されて、複数の照明装置１０の全てが点検動作を開始する。なお、照明装置１０Ａ，１０Ｂは、点検動作を開始（ステップＳ１４，Ｓ１７）した後で、点検要求の転送（ステップＳ１２，Ｓ１５）を行ってもよい。
【００６１】
このように、照明装置１０は、通信部１２によって点検要求（特定の信号の一例）が受信された場合に、通信モードを第２通信モードから第１通信モードへ切り替えることとした。これにより、照明装置１０は、点検動作の開始に先立ち、点検動作に応じた通信方式である双方向通信に切り替えることができる。
【００６２】
＜第１通信モードから第２通信モードへの切り替えの例＞
次に、第１通信モードから第２通信モードへの切り替えの例について図８を参照して説明する。図８は、実施形態に係る照明装置１０における第２通信モードへの切り替えの一例を示すシーケンス図である。ここでは、点検者端末３０から結果送信要求を受信する照明装置１０を「照明装置１０Ｃ」と記載し、照明装置１０Ｃから結果送信要求を受信する照明装置１０を「照明装置１０Ｄ」と記載する。このように、実施形態に係る照明システム１において、点検者３は、必ずしも点検要求を送信した照明装置１０Ａに対して結果送信要求を送信することを要しない。
【００６３】
図８に示すように、点検者端末３０は、複数の照明装置１０のうち照明装置１０Ｃに対して結果送信要求を送信する（ステップＳ３１）。点検要求の送信時と同様に、結果送信要求の送信先となる照明装置１０Ｃは任意である。
【００６４】
点検者端末３０から通信部１２を介して結果送信要求を受信した照明装置１０Ｃは、点検者端末３０との間で通信確立処理を行う。その後、点検者端末３０との間で通信が確立されると、照明装置１０Ｃは、通信エリア１００内に位置する他の照明装置１０Ｄに対して結果送信要求を転送する（ステップＳ３２）。また、照明装置１０Ｄは、照明装置１０Ｃから受信した結果送信要求を通信エリア１００内に位置する他の照明装置１０（図示せず）に転送する（ステップＳ３３）。これにより、複数の照明装置１０の全てに結果送信要求が送信される。
【００６５】
結果送信要求を受信した照明装置１０は、今回の点検動作における自装置点検結果を通信エリア１００内に位置する他の照明装置１０へ送信する。また、各照明装置１０は、他の照明装置１０から受信した他装置点検結果を通信エリア１００内に位置する照明装置１０へ転送する（ステップＳ３４，Ｓ３５）。各照明装置１０は、自装置点検結果１５１および受信した他装置点検結果１５２を記憶部１５に記憶させる。これにより、複数の照明装置１０の全てが、複数の照明装置１０の全ての点検結果を保持した状態となる。
【００６６】
その後、照明装置１０Ｃは、点検者端末３０に対し複数の照明装置１０の全ての点検結果（自装置点検結果１５１および他装置点検結果１５２）を送信する（ステップＳ３６）。点検結果を受信した点検者端末３０は、受信した点検結果を記憶部３３に記憶する。
【００６７】
複数の照明装置１０の全ての点検結果を点検者端末３０へ送信し終えた後、照明装置１０Ｃは、通信モードを第１通信モードから第２通信モードへ切り替える（ステップＳ３７）。また、照明装置１０Ｃは、通信エリア１００内に位置する他の照明装置１０Ｄに対してモード切替要求を送信する（ステップＳ３８）。照明装置１０Ｄは、照明装置１０Ｃからモード切替要求を受信すると、通信モードを第１通信モードから第２通信モードへ切り替えて（ステップＳ３９）、通信エリア１００内に位置する他の照明装置１０（図示せず）に対してモード切替要求を転送する（ステップＳ４０）。
【００６８】
このように、実施形態に係る照明装置１０は、通信部１２によって結果送信要求（特定の信号の一例）またはモード切替要求（特定の信号の一例）が受信された場合に、通信モードを第１通信モードから第２通信モードへ切り替えることとした。これにより、照明装置１０は、点検動作の終了後、商品情報等をブロードキャストする動作に応じた通信方式である片方向通信に切り替えることができる。
【００６９】
なお、上記説明では第２通信モード中に点検要求を受信すると第１通信モードに変更し、点検結果を送信すると第２通信モードに切り替えるようにしたが、第２通信モードであっても点検要求および結果送信要求を受信可能に構成し、結果送信要求を受信した場合にのみ第１通信モードに切り替えて点検結果を送受信するようにしてもよい。また、例えば第２通信モードで動作している間に間欠的に第１通信モードで動作させておくことで、点検者端末３０と照明装置または照明装置同士での接続を確立し点検要求および結果送信要求を送受信し第２通信モードを第１通信モードに切り替える構成であってもよい。そして、点検要求の送受信または点検結果の送受信が完了すると第１通信モードを第２通信モードに変更するようにしてもよい。これによって、必要なときにのみ第１通信モードで動作させ、その他は第２通信モードで動作させることができる。
【００７０】
上述してきたように、実施形態に係る照明装置１０（通信装置の一例）は、通信部１２と、制御部１６とを具備する。通信部１２は、双方向通信および片方向通信が可能である。制御部１６は、通信部１２による双方向通信を用いた第１通信モードと、通信部１２による片方向通信を用いた第２通信モードとを切り替えて実行する。これにより、動作内容に応じた通信方式に切り替えることができる。すなわち、点検動作と、商品情報等をブロードキャストする動作とをそれぞれに適した通信方式にて実施することができる。
【００７１】
＜変形例＞
上述した実施形態は一例を示したものであり、種々の変更及び応用が可能である。
【００７２】
（第１の変形例）
図９は、実施形態における第１の変形例に係る切替処理を示すフローチャートである。図９に示すように、制御部１６は、点検要求を受信したかどうかを判定する（ステップＳ１０１）。制御部１６は、点検要求を受信していない場合（ステップＳ１０１，Ｎｏ）、ステップＳ１０１の判定を繰り返す。
【００７３】
ステップＳ１０１において、点検者端末３０から点検要求を受信した場合（ステップＳ１０１，Ｙｅｓ）、制御部１６は、拒否条件１５４（図４参照）を満たすか否かを判定する（ステップＳ１０２）。
【００７４】
たとえば、拒否条件１５４が通信モードの切り替えを拒否する時間帯を指定する情報である場合、制御部１６は、現在の時刻が、通信モードの切り替えを拒否する時間帯に属しているか否かを判定し、属していれば、拒否条件を満たすと判定する。また、拒否条件１５４が、通信モードの切り替えを許可する点検者端末３０の識別情報の一覧情報（ホワイトリスト）である場合、制御部１６は、点検者端末３０から送信される識別情報が上記ホワイトリストに含まれていなければ、拒否条件を満たすと判定する。
【００７５】
ステップＳ１０２において、制御部１６は、拒否条件を満たすと判定した場合（ステップＳ１０２，Ｙｅｓ）。第２通信モードから第１通信モードへの通信モードの切り替えを拒否する（ステップＳ１０３）。この場合、点検動作は行われず、各照明装置１０は商品情報等のブロードキャストを引き続き行う。一方、ステップＳ１０２において、拒否条件が満たされない場合（ステップＳ１０２，Ｎｏ）、制御部１６は、通信モードを第２通信モードから第１通信モードへ切り替える（ステップＳ１０４）。
【００７６】
なお、ここでは、第２通信モードから第１通信モードへの切り替えを拒否する場合の例について説明したが、制御部１６は、拒否条件１５４に基づいて、第１通信モードから第２通信モードへの切り替えを拒否することも可能である。
【００７７】
このように、実施形態に係る照明装置１０において、制御部１６は、通信部１２によって特定の信号が受信された場合において、拒否条件を満たす場合には、第１通信モードと第２通信モードとの切り替えを拒否してもよい。これにより、通信モードの切り替えを行いたくない状況で通信モードの切り替えが行われてしまうことを防止することができる。たとえば、照明装置１０が設置される施設の従業員が、施設の営業時間中に照明装置１０の点検が行われることを望まない場合に、点検者３によって営業時間中に点検が行われることを防止することができる。
【００７８】
（第２の変形例）
制御部１６は、第１通信モードと第２通信モードとを予め決められた時間間隔で切り替えてもよい。たとえば、図７において、照明装置１０Ａ，１０Ｂは、点検動作（ステップＳ１４，Ｓ１７）を開始した後、通信モードを第１通信モードから第２通信モードに切り替え、その後、点検動作に要する時間として予め決められた時間（たとえば３０分）が経過した場合に、通信モードを第２通信モードから第１通信モードに戻してもよい。点検動作中は、必ずしも双方向通信を行う状態である必要はないため、点検動作が開始されてから点検動作が終了するまでの間、第１通信モードから第２通信モードに切り替えておくことで、点検動作中においても、商品情報等のブロードキャストを行うことができる。
【００７９】
なお、ここでは、第１通信モードから第２通信モードへ切り替える場合の例について説明したが、予め決められた時間間隔で第２通信モードから第１通信モードへ切り替えを行ってもよい。たとえば、制御部１６は、第１通信モードから第２通信モードに切り替わってから予め決められた時間が経過した場合に、自動的に第２通信モードから第１通信モードに切り替えてもよい。
【００８０】
また、第１通信モードと第２通信モードとが交互に切り替わるようにしてもよい。これによって、例えば第１通信モードで点検要求、点検結果を送受信している間も第２通信モードによって所定の情報を送信することができる。つまり、第２通信モードにおいて同じ情報を繰り返し送信することを想定した場合、第２通信モードでの送信を間欠的に繰り返すとともに、第２通信モードでの送信間に第１通信モードでの通信を行う。
【００８１】
（第３の変形例）
また、制御部１６は、記憶部１５に記憶されたスケジュール情報１５５を利用して、予め設定された時刻が到来した場合に、第１通信モードと第２通信モードとを切り替えるようにしてもよい。たとえば、午前８時に第１通信モードから第２通信モードに切り替え、午後９時に第２通信モードから第１通信モードに切り替えることがスケジュール情報１５５によって指定されているとする。この場合、制御部１６は、スケジュール情報１５５に従って、午前８時に、通信モードを第１通信モードから第２通信モードに切り替え、午後９時に、通信モードを第２通信モードから第１通信モードに切り替える。これにより、通信モードの切り替えに要する手間を削減することができる。
【００８２】
（第４の変形例）
たとえば、点検者３が照明装置１０から点検結果を受信している途中で、通信モードが第１通信モードから第２通信モードに切り替わった場合、点検者端末３０と照明装置１０との通信が途絶えることとなる。そこで、制御部１６は、第１通信モードと第２通信モードとを切り替える場合に、通信モードの切り替えの発生を知らせる切替情報を通信部１２を用いて送信してもよい。
【００８３】
たとえば、上記の例の場合、制御部１６は、点検者端末３０に対して切替情報を送信する。切替情報を受信した点検者端末３０は、たとえば「通信モードが切り替わりました」等の情報をディスプレイに表示させる。これにより、点検者３は、通信モードが切り替わったことが通信が途絶えた原因であることを認識することができる。また、第２通信モードから第１通信モードに切り替える場合、切替情報を通信エリア１００内にブロードキャストする。これにより、来客者４の来客者端末４０に商品情報がブロードキャストされなくなることを知らせることができる。また、第２通信モードから第１通信モードに切り替わったときに、第２通信モードへ間欠的に切り替えて第１通信モードに変更になった旨の情報または第２通信モードを用いたサービスが利用できない旨の情報を送信するようにしてもよい。このとき、第２通信モードで送信するデータ量を第２通信モードを用いたサービスを行う場合に比べて少なくすることによって、第１通信モードでの動作への影響を低減することができる。
【００８４】
（その他の変形例）
図７において、制御部１６は、全ての照明装置１０への点検要求の転送が完了した場合に、通信モードを第１通信モードから第２通信モードに切り替えてもよい。この場合、各照明装置１０は、点検要求を受信すると、点検要求を受信済みであることを示す返信情報を通信エリア１００内の他の照明装置１０へ送信する。この処理がメッシュネットワーク上で繰り返されることにより、各照明装置１０の返信情報が全ての照明装置１０に行き渡ることとなる。各照明装置１０は、全ての照明装置１０の返信情報を取得した場合に、全ての照明装置１０に点検要求が送信されたと判定し、通信モードを第１通信モードから第２通信モードへ切り替えてもよい。また、第１通信モードから第２通信モードへの切り替えは全ての照明装置１０が点検を開始したことを条件としてもよい。さらに、メッシュネットワークに含まれる照明装置を予め把握しておき、何台までが接続されたかを確認し、それを条件に第１通信モードを第２通信モードへ切り替えるようにしてもよい。
【００８５】
また、通信モードの切り替えのトリガーとなる「特定の信号」は、第１通信モードから第２通信モードへの切り替えまたは第２通信モードから第１通信モードへの切り替えを明示的に指示する信号であってもよい。
【００８６】
また、ここでは、複数の照明装置１０をメッシュネットワークを利用して一括点検する場合の例について説明したが、点検者端末３０は、１台の照明装置１０にのみ点検動作を実施させてもよい。
【００８７】
また、ここでは、第１通信モードの例として点検動作を挙げたが、第１通信モードは、来客者端末４０からの要求に応じて商品情報を送信するモードであってもよい。すなわち、制御部１６は、来客者端末４０から情報提供要求を受信した場合に、来客者端末４０との間で通信確立処理を行ったうえで、情報提供要求を送信してきた来客者端末４０に対して商品情報等を送信する処理を第１通信モードにおいて行ってもよい。また、第１通信モードは、たとえば、自装置の仕様に関する情報を点検者端末３０からの要求に応じて送信するモードであってもよい。
【００８８】
また、ここでは、第２通信モードにおいて来客者４の来客者端末４０に対して商品情報をブロードキャストする場合の例について説明したが、制御部１６は、第２通信モードにおいて、たとえば、避難経路に関する情報を通信エリア１００内に位置する来客者端末４０にブロードキャストしてもよい。
【００８９】
また、ここでは、照明装置が非常灯や誘導灯のような非常用照明装置である場合を例に挙げて説明したが、照明装置は常用の一般照明であってもよい。また、ここでは、通信機能を備えた照明装置を通信装置の一例として挙げたが、通信装置は照明装置に限定されない。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００９１】
１  照明システム
３  点検者
４  来客者
１０  照明装置
１１  光源
１２  通信部
１３  蓄電池
１４  取得部
１５  記憶部
１６  制御部
３０  点検者端末
４０  来客者端末
１００  通信エリア
【図１】
2019062314.tif 000003
【図２】
2019062314.tif 000004
【図３】
2019062314.tif 000005
【図４】
2019062314.tif 000006
【図５】
2019062314.tif 000007
【図６】
2019062314.tif 000008
【図７】
2019062314.tif 000009
【図８】
2019062314.tif 000010
【図９】
2019062314.tif 000011